(57)【要約】【課題】携帯に便利で、尚且つ、広い広告スペースを有するゴルフ用ティー及びティーを組み込んだカード状の板状体を提供する。【解決手段】ティー１０はカード１に一体的に組み込まれている。プレイヤーは、カード１からティー１０を分離用切り込み１０１に沿って分離し、分離したティー１０を折れ筋１０２に沿って二つ折りにして地面に挿入し、ボールを安定して載置できるように組み立て用切り込み１０３から上の部分を展開してゴルフボール用ティーを組み立てる。ティー１０はカード１に組み込まれているため、携帯に便利であり、また、カードの表面や裏面に大きく宣伝広告等を付すことができる。【選択図】図１
0003182048.tif 000002
【実用新案登録請求の範囲】
【請求項１】
カード状の板状体に組み込まれており、使用時に前記板状体から少なくとも一つティーとなる部分を分離させて立体的に組み立てることができる構成となっている、
ゴルフボール用ティー。
【請求項２】
前記板状体には前記ティーとなる部分が複数組み込まれており、前記ティーとなる部分それぞれの外縁には、前記板状体から分離するための切り込みが入っている、
請求項１記載のゴルフボール用ティー。
【請求項３】
分離させた部分を立体的に組み立てることによりゴルフボール用ティーとして使用することができる、ティーとなる部分が少なくとも一つ組み込まれている、
カード状の板状体。
【考案の詳細な説明】
【技術分野】
【０００１】  本考案は、ゴルフボールを載せるティー及びティーを組み込んだカード状の板状体に関する。
【背景技術】
【０００２】  ゴルフ球技において使用されるゴルフボール用ティーは、木、あるいは合成樹脂を素材として、最初から釘状に立体的に製造されている。即ち、ティーの一端は、ボールを載置するために凹状の表面を構成し、本体の軸を介して他端はティー本体を地面に突き刺すことができるように先端部分が釘状に尖っている。
ところで、ゴルフでティーショットをするとクラブのヘッドがティーに接触し、ティーを破損することがある。また、ティーが遠くへ飛んでいってしまいティーを紛失することもある。そのため、プレイヤーは、ティーを消耗品として複数を携帯するのが常であるが、ティーは立体的なので携帯に不便であり、衣服のポケットなどに収容した場合、釘状に尖った先端部分によって衣服や身体を傷つけることもある。【０００３】  以上のような携帯の不便性を解消するティーとして、従来、折り畳み可能なシートからなる筒状のティーの考案が存在する。当該考案は、折り畳み可能なシートを筒形に組み立ててゴルフボール用のティーにするものであるから、筒を折り畳んでしまえば嵩張ることはなくなり、携帯に不便という問題は解消される。【０００４】  しかしながら、ティーに広告等の宣伝を印字したい場合、従来のティーでは本体の軸部分の非常に狭い限られた部分（上述の折り畳み可能なシートからなる筒状のティーにおいては、ティーの筒部分）にしか印字することができないため、プレイヤー自身はその広告等を見ることができても、他の者からは小さすぎてそれを見ることは不可能であった。また、ティーは、上述のように、通常ポケット等に収容されており、ティーを使用する場面を除いてそれを外部に見せる機会はなかったため、宣伝効果は著しく低いものとならざるを得なかった。
【先行技術文献】
【特許文献】
【０００５】
【特許文献１】実開平６−２６９３６号公報
【考案の概要】
【考案が解決しようとする課題】
【０００６】  本考案は、以上のような課題に鑑みてなされたものであり、嵩張らずに携帯に便利で、且つ、宣伝広告の効果を高めることのできるゴルフボール用ティー及びティーを組み込んだカード状の板状体を提供することを課題とするものである。
【課題を解決するための手段】
【０００７】  かかる課題を解決するため、本願考案者は、以下のようなゴルフボール用ティー及びティーを組み込んだカード状の板状体を提案する。【０００８】  本願のゴルフボール用ティーは、カード状の板状体に組み込まれており、使用時に前記板状体から少なくとも一つティーとなる部分を分離させて立体的に組み立てることができる構成となっている。
このようなゴルフボール用ティーによれば、ティーとして使用される前は、ティーはカード状の板状体に組み込まれているため、嵩張らず携帯に適しており、ティーの先端部分によって衣服や身体を傷つけることがない。さらに、カード状の板状体全体に大きく宣伝広告等を付すことができるため、宣伝効果は大きいものとなる。【０００９】  また、前記カード状の板状体には前記ティーとなる部分が複数組み込まれており、前記ティーとなる部分のそれぞれの外縁には、前記板状体から分離するための切り込みが入っている。このようなゴルフボール用ティーによれば、ハサミやカッターなどの工具を用いることなく板状体からティーを分離することができるため、容易にティーを組み立てることができる。【００１０】  さらに、本願のカード状の板状体は、分離させた部分を立体的に組み立てることによりゴルフボール用ティーとして使用することができる、ティーとなる部分が少なくとも一つ組み込まれている構成となっている。このようなカード状の板状体によれば、上述のように、ティーは板状体に組み込まれているため、嵩張らず携帯に適しており、ティーの先端部分によって衣服や身体を傷つけることがない。さらに、カード状の板状体全体に大きく宣伝広告等を付すことができるため、宣伝効果は大きいものとなる。
【考案の効果】
【００１１】  本考案のゴルフボール用ティー及びティーを組み込んだカード状の板状体によれば、複数のティーが一枚のカード状の板状体に組み込まれているため、プレイヤーは、一枚のカードを携帯するときと同じ感覚で、財布の中やポケットなどにティーを携帯することができる。また、ティーの先端部分が直接衣服や身体に接触することがないため、ティーの先端部分によって衣服や身体を傷つけることがない。さらに、カード状の板状体の表面や裏面全体に大きく宣伝広告等を付すことができるため、広い広告スペースを確保することができ、一つの宣伝用ツールとして、例えば、名刺やノベルティグッズなどとして利用することにより、非常に大きな宣伝効果を期待することができる。
【図面の簡単な説明】
【００１２】
【図１】ティーとして使用される前の状態を示す図面。
【図２】カード状の板状体から一つのティーを分離した状態を示す図面。
【図３】ティーを組み立てて完成したものの図面。
【考案を実施するための形態】
【００１３】  以下、本考案のゴルフボール用ティー及びティーを組み込んだカード状の板状体の好ましい実施形態を、図面を参照しながら詳細に説明する。
【００１４】  この実施形態によるゴルフボール用ティーは、ティーとして使用される前は、図１に示したように、カード状の板状体、即ち、名刺やクレジットカードなどと同じ程度の大きさのプラスチック製カード１に組み込まれている。一枚のカード１の中には５つのティー１０乃至１４が互いに隣接して組み込まれており、各ティーの外縁にはカード１から容易に分離することができるように分離用切り込み１０１が入っている。
【００１５】  カード１から分離されたティー１０について、図２に基づいて説明する。ティー１０は、ボールを載置する側にあたるティー上部（図２の上側）にそれぞれａ、ｂ及びｃを頂点とする３つの山を有しており、ティー１０の両サイドからティーを地面に突き刺す下部（図２の下側）にかけては、ｄを頂点とする鋭角の三角形状となっている。
【００１６】  分離されたティー１０には、ティー上部の中央の山の頂点ｂから下部の頂点ｄにかけて一本の折れ筋１０２が入っている。また、ティー１０の両サイドには、それぞれ折れ筋に向けて各一本ずつの組み立て用切り込み１０３が入っている。
【００１７】  次に、分離されたティー１０の使用方法を説明する。プレイヤーは、カード１からティー１０を分離用切り込み１０１に沿って分離し、分離したティー１０を折れ筋１０２に沿って二つ折りにする。プレイヤーは、ティー１０の組み立て用切り込み１０３から下の部分を二つに折ったまま指で掴み、ここをティーの軸としてティー１０を下部の頂点ｄから地面に挿入する（図３参照）。ティー１０を地面に挿入する際には、このようにティー１０の軸は二つ折りにされて補強された状態で地面に挿入されることとなるため、ティーの軸が地面に負けて折れ曲がるといったトラブルを防止することができる。
【００１８】  ティー１０を地面に挿入した後、プレイヤーはティー１０の組み立て用切り込み１０３より上の部分を図３のＰ方向に展開する。このようにプレイヤーはティー１０を意とも容易に自ら立体的に組み立てることが可能であり、こうして完成されたティー１０にゴルフ用ボールを載置すると、ボールはティー１０の上部に設けられた三つの山の頂点ａ、ｂ及びｃの三点によって支持されることとなり、安定した静止状態を保つことができる。
【００１９】  以上のように、ティー１０はそれを分離して使用する前はカード１に組み込まれており、ティー１０はカード１と一体となっているため、従来の単体のティーでは成し得なかった広い広告スペースを確保することが可能となる。そのため、例えば、カード１０の表面や裏面には自由に文字やキャラクター、写真等を表示することができるようになり、カード１に自分の名前や所属等を印刷して名刺として使用すれば相手へのインパクトは絶大なものとなる。また、写真等と共に製品情報を記載すれば一つのノベルティグッズとして宣伝用ツールとなり、その宣伝広告の効果も絶大となることが期待できる。
【００２０】  また、ティー１０が組み込まれたカード１は、財布やカードケースの中、あるいはポケット等への収納に便利であるが、カード１に紐やリングを通し、衣服やキャディバッグに吊り下げてタグのように使用することも可能である。従来の単体のティーでは宣伝広告を表示できないか、表示したとしてもティーの軸部分に小さな文字を印字できる程度のものであったため、そのティーを使用するプレイヤー以外の者がそれを確認することはほとんど不可能であった。しかし、上述したようにカード１には大きく宣伝広告を表示することができるため、それを衣服やキャディバッグ等に吊り下げておけば、プレイヤー以外の者も宣伝広告の内容を看取することができるものとなり、その宣伝効果はさらに大きなものとなる。
【００２１】  なお、ティーを含めてカード１の素材は、ある程度の強度をもった薄い素材であれば何でもよく、プラスチックに限られることなく、紙や鉄板などでもよい。また、カードの大きさや形状は、ティーを組み込むことのできる大きさ、形状であれば何でもよく、名刺大、名刺形状のものに限られることなく、例えば、帯状であっても円形であってもよい。
【符号の説明】
【００２２】１・・カード、１０乃至１４・・ティー、１０１・・分離用切り込み、１０２・・折れ筋、１０３・・組み立て用切り込み
【図１】
0003182048.tif 000003
【図２】
0003182048.tif 000004
【図３】
0003182048.tif 000005